(57)【特許請求の範囲】
【請求項１】
表示部と、
追記書込メディアに書き込まれた楽曲ファイルを読み出す読出部と、
前記追記書込メディアに記録された楽曲ファイルをセッション毎に管理し、各セッションをそれぞれ仮想ディスク化し、任意の楽曲について当該楽曲のファイルが記録されているセッションを仮想ディスク名で前記表示部に表示する制御部と
を有することを特徴とするオーディオ装置。
【請求項２】
前記制御部は、最新のセッションに収録されている楽曲ファイルの楽曲から再生するように前記読出部を制御することを特徴とする請求項１に記載のオーディオ装置。
【請求項３】
追記書込みメディアに記録された楽曲ファイルをセッション毎に管理し、各セッションをそれぞれ仮想ディスク化し、任意の楽曲について当該楽曲のファイルが記録されているセッションを仮想ディスク名で表示部に表示することを特徴とする楽曲ファイル管理方法。
【請求項４】
追記書込みメディアに記録された楽曲ファイルをセッション毎に管理し、最新のセッションの楽曲ファイルの楽曲から順に自動再生することを特徴とする楽曲再生方法。
【発明の詳細な説明】
【０００１】
【発明の属する技術分野】
本発明は、セッション単位でデータの書込みが行われるＣＤ−Ｒ等の追記書込メディアに記録された楽曲を再生するオーディオ装置、その楽曲ファイル管理方法及び楽曲再生方法に関する。
【０００２】
【従来の技術】
ＭＰ３（MPEG1 Audio Layer3）やＡＡＣ(Advanced Audio Coding) 等の圧縮技術を使用すると、１枚のＣＤ−Ｒ（Compact Disc-Recordable ）に１００曲又はそれ以上の極めて多くの楽曲を記録することができる。また、これらの圧縮技術を使用してＣＤ−Ｒに記録された楽曲を再生するオーディオ装置（以下、ＣＤ−Ｒ再生装置ともいう）も開発されている。
【０００３】
一般的に、この種のＣＤ−Ｒ再生装置では、楽曲を記録された順番で再生するようになっている。すなわち、それぞれの楽曲はファイル名とタイムスタンプ（記録日時）とにより管理されるが、ＣＤ−Ｒ再生装置ではタイムスタンプを調べて、古いものから順に番号（以下、曲番号という）を付与し、１番目の楽曲から順番に再生する。ＣＤ−Ｒ再生装置の操作パネルにはアップ／ダウンキーが設けられており、このアップ／ダウンキーを操作することによって、所望の曲番号の楽曲から再生を開始することもできる。
【０００４】
【発明が解決しようとする課題】
上述したように、従来はタイムスタンプが古い楽曲から順番に再生するようになっているので、最新の楽曲を聴くためにはアップ／ダウンキーを何度も押す必要があり煩雑である。テンキーを用いて曲番号を直接入力する方法もあるが、前述したようにＣＤ−Ｒには１００曲以上の楽曲が収録されるため、全ての収録曲の曲番号をユーザ自身が把握しておくことは困難である。
【０００５】
本発明の目的は、ＣＤ−Ｒ等の追記書込メディアに対応したオーディオ装置であって、所望の楽曲を簡単な手順で再生できるオーディオ装置を提供することである。
また、本発明の他の目的は、ＣＤ−Ｒ等の追記書込メディアに記録された楽曲をユーザにわかりやすく管理する楽曲ファイル管理方法、及びそれを利用した楽曲の自動再生方法を提供することを目的とする。
【０００６】
【課題を解決するための手段】
本発明のオーディオ装置は、表示部と、追記書込メディアに書き込まれた楽曲ファイルを読み出す読出部と、前記追記書込メディアに記録された楽曲ファイルをセッション毎に管理し、各セッションをそれぞれ仮想ディスク化し、任意の楽曲について当該楽曲のファイルが記録されているセッションを仮想ディスク名で前記表示部に表示する制御部とを有することを特徴とする。
【０００７】
また、本発明の楽曲ファイル管理方法は、追記書込みメディアに記録された楽曲ファイルをセッション毎に管理し、各セッションをそれぞれ仮想ディスク化し、任意の楽曲について当該楽曲のファイルが記録されているセッションを仮想ディスク名で表示部に表示することを特徴とする。
更に、本発明の楽曲再生方法は、追記書込みメディアに記録された楽曲ファイルをセッション毎に管理し、最新のセッションの楽曲から順に自動再生することを特徴とする。
【０００８】
ＣＤ−Ｒ等の追記書込メディアでは１回の書込み毎に１つのセッションが作成される。従来のオーディオ装置では、ユーザにはセッションを意識させないようにしていた。しかし、本発明においては、セッションを積極的に利用し、追記書込メディアに記録されている楽曲をセッション毎に管理し、かつ任意の楽曲について、当該楽曲のファイルが記録されているセッションがわかるように表示部に表示する。例えば、任意の楽曲について、楽曲が記録されているセッションの名称と曲番号及び曲名を表示する。これにより、所望の楽曲を、いつ頃書込みしたか、又はどのような楽曲といっしょに書込みしたのかを目安にして容易に見つけることができる。
【０００９】
この場合に、各セッションを仮想ディスク化し、セッションを仮想ディスク名で表示することにより、オーディオ装置がいわゆるＣＤチェンジャ−と同様に操作できるようになって、操作性がより一層向上する。
【００１０】
【発明の実施の形態】
以下、本発明の実施の形態について、添付の図面を参照して説明する。
図１は本発明の実施の形態のオーディオ装置の構成を示すブロック図、図２は同じくそのオーディオ装置の前面パネルの一例を示す図である。
本実施の形態のオーディオ装置は、制御部１０、ＣＤ−Ｒ読出部１１、表示部１２、操作部１３、デコード部１４及びＤ／Ａ（デジタル／アナログ）変換部１５により構成されている。
【００１１】
制御部１０はマイクロコンピュータにより構成され、ＣＤ−Ｒ読出部１１及び表示部１２を制御する。ＣＤ−Ｒ読出部１１には、ＭＰ３方式で圧縮された多数の楽曲を収録したディスク（ＣＤ−Ｒ）が装填される。ＣＤ−Ｒ読出部１１で読み出されたデータは制御部１０に送られ、ＭＰ３圧縮されたオーディオ信号とそれ以外のデータとに分離される。
【００１２】
表示部１２は、例えば液晶パネルからなり、制御部１０からの信号に基づいてディスク名、曲番号及び曲名等を表示する。操作部１３には当該オーディオ装置を操作するためのディスクアップキー１３ａ、ディスクダウンキー１３ｂ、曲番号アップキー１３ｃ、曲番号ダウンキー１３ｄ、再生キー１３ｅ、停止キー１３ｆ及び取り出しキー１３ｇ等の操作キーが設けられている。操作キー部１３からは、ユーザの操作に応じた信号が制御部１０に出力される。
【００１３】
デコード部１４は、制御部１０から出力されたＭＰ３圧縮オーディオ信号を入力し、伸長処理して出力する。伸長処理後のオーディオ信号は、Ｄ／Ａ変換部１５でアナログのオーディオ信号に変換された後、アンプ（図示せず）を介してスピーカー（図示せず）に供給される。
図３はＣＤ−Ｒに記録されたデータの構成を示す模式図である。ＣＤ−Ｒには、１回の書込み毎に１つのセッションが作成される。セッションの最初にある領域はリードインと呼ばれ、最後にある領域はリードアウトと呼ばれ、リードインとリードアウトとの間にデータ本体が挟まれている。
【００１４】
本実施の形態では、データ本体が１又は複数のＭＰ３ファイル（楽曲ファイル）により構成されているものとする。図４はＭＰ３ファイルのデータ構成を示す模式図である。この図４に示すように、ＭＰ３ファイルでは、圧縮されたオーディオ信号に、ＩＤ３タグと呼ばれる付加情報が付加されることがある。ＩＤ３タグには、曲名、アーティスト名及びジャンルなどの楽曲情報が記録される。本実施の形態では、各ＭＰ３ファイルにはいずれもＩＤ３タグが付加されているものとする。
【００１５】
図５は本実施の形態のオーディオ装置におけるセッションの管理方法を示す概念図である。この図５を参照して、本実施の形態のオーディオ装置の動作について説明する。ここでは、ＣＤ−Ｒに４つのセッションが存在し、これらのセッションは、セッション１、セッション２、セッション３、セッション４の順番で作成されたものとする。すなわち、セッション１が最も古く、セッション４が最新のセッションである。
【００１６】
まず、ＣＤ−ＲをＣＤ−Ｒ読出部１１に装填すると、ＣＤ−Ｒ読出部１１から制御部１０に所定の信号が送られる。その信号に応じて、制御部１０はＣＤ−Ｒ読出部１１を制御して、ＣＤ−Ｒに記録されているセッションの数、各セッションに収録されているＭＰ３ファイルの数、各ＭＰ３ファイルのファイル名及びタイムスタンプを調べる。そして、各セッションを仮想ディスク化するとともに、各セッション毎に、タイムスタンプの古いＭＰ３ファイルから順番に曲番号を付与する。
【００１７】
例えば、図５に示す例では、セッション４をディスク１、セッション３をディスク２、セッション２をディスク３、セッション１をディスク４としている。そして、セッション４内の３つの楽曲については、タイムスタンプの古いものから順番に曲番号（曲１、曲２、曲３）を付与している。これと同様に、他のセッションの楽曲についても、タイムスタンプの古いものから順番に曲番号を付与している。
【００１８】
その後、制御部１０は表示部１２にディスク名として「０１」を表示し、曲番号として「０１」を表示し、更にセッション４の１番目の楽曲（曲１）の曲名をＭＰ３ファイルから読み出して表示する（図２参照）。この状態でユーザが操作部１３の再生キー１３ｅを押すと、当該オーディオ装置はセッション４の楽曲を曲１から図５中に再生順２で示す順番で再生し、セッション４の全曲の再生が終了すると、再生順１の順番でセッションを変更して、各セッションの楽曲を再生順２で示す順番で自動的に再生していく。なお、表示部１２には、再生中の楽曲について、その楽曲が記録されているディスク名、楽曲の曲番号及び曲名を表示する。
【００１９】
ユーザは、操作部１３のディスクアップキー１３ａ又はディスクダウンキー１３ｂを操作することにより、手動でセッションを変更し、所望のセッションの楽曲から再生を開始することができる。また、曲番号アップキー１３ｃ又は曲番号ダウンキー１３ｄを操作して曲番号を変更し、セッション内の所望の楽曲から再生することもできる。
【００２０】
本実施の形態では、任意の楽曲について、当該楽曲の曲番号及び曲名と、当該楽曲が収録されているセッションを示す仮想ディスク名とを表示部１２に表示するので、ＣＤ−Ｒに収録されている多数の楽曲の中から所望の楽曲を容易に見つけて再生することができる。また、本実施の形態のオーディオ装置では、セッション毎に仮想ディスク化しているので、ＣＤチェンジャ−と同様に使用することができて、操作性が良好である。更に、本実施の形態のオーディオ装置は、再生時に新しいセッションの楽曲から順番に自動再生するので、最新の楽曲から聴きたいときには操作が極めて容易になる。
【００２１】
ところで、セッションの数及び各セッションに収録されているＭＰ３ファイルの数等の情報は、ＣＤ−ＲのＴＯＣ（Table Of Contents ）情報から取得する。以下、マルチセッションディスクのＴＯＣ情報取得方法について、図６に示すフローチャートを参照して説明する。
まず、ＣＤ−Ｒ読出部１１にディスクが挿入されると、ステップＳ１１に移行し、光ピックアップが取り付けられているスレッドをディスクの内周に向けて移動させる。スレッドがリミットスイッチに接触してリミットスイッチがオフになると、ステップＳ１２に移行してスレッドの移動を停止し、光ピックアップのフォーカスをディスクのデータ記録面に合わせる。
【００２２】
次に、ステップＳ１３に移行し、ディスクからデータを読み出して光ピックアップの読み取り位置がリードイン領域内にあるか否かを判定する。リードイン領域内でない場合はステップＳ１４に移行し、読み取り位置を６４トラック分だけバックワードジャンプする。その後、ステップＳ１３に戻り、読み取り位置がリードイン領域内か否かを判定する。このようにして、第１セッションのリードイン領域を検出するまでステップＳ１３，Ｓ１４を繰り返す。第１セッションのリードイン領域を検出すると、ステップＳ１３からステップＳ１５に移行して、更に読み取り位置を６４トラック分だけバックワードジャンプする。
【００２３】
次に、ステップＳ１６においてリードイン情報を読み取り、ステップＳ１７では最終セッションか否かを判断する。シングルセッションディスクではＳＵＢＱモード１（ＡＤＤＲ１）のデータだけ読出しできればよかったが、マルチセッションディスクでは、更にＳＵＢＱモード５（ＡＤＤＲ５）に対応していることが必要となる。ＳＵＢＱモード５のＢ０ポインタには、次のセッションのプログラム領域のスタートアドレスが格納される。従って、第１セッションにＢ０ポインタが見つからない場合はシングルセッションディスクであると判定する。また、第２セッション以降でＢ０ポインタが見つからない場合は、そのセッションが最終セッションであると判定する。更に、Ｂ０ポインタに格納されている次のセッション開始位置が“ＦＦ  ＦＦ  ＦＦ”の場合も、現在位置のセッションが最終セッションであると判定する。
【００２４】
ステップＳ１７で最終セッションでないと判定したときは、ステップＳ１８に移行して、当該セッションのリードアウト領域をサーチする。その後、３２トラック分だけフォワードジャンプした後、ステップＳ２０に移行して、光ピックアップの読み取り位置が次のセッションのリードイン領域内にあるか否かを判定する。リードイン領域内でない場合はステップＳ１９に戻り、再度３２トラックフォワードジャンプを実施した後、読み取り位置がリードイン領域内か否かを判定する。このように３２トラック分づつ小さい幅でフォワードジャンプするので、次のセクションのリードイン領域を確実に検出することができる。
【００２５】
ステップＳ２０でリードイン領域であると判定したら、ステップＳ１６に戻って、当該セッションのリードイン情報を読み取る。そして、ステップＳ１７に移行し、当該セッションが最終セッションか否かを判定する。
このようにして、セッションの数及び各セッションの位置を検出したら、ステップＳ１７からステップＳ２１に移行しで、ディスクの先頭アドレスサーチ要求を出力し、ＴＯＣ情報の読み取りを終了する。
【００２６】
なお、第２セッション以降をサーチしているときにＴＯＣ読みガード時間が過ぎたならば、時間内に読み終えたセッションのみを有効なものとしてＴＯＣ読み取り処理を終了する。また、上記のＴＯＣ情報取得方法のフローチャートは一例であり、ＴＯＣ情報取得方法は上記の例に限定されるものではない。
【００２７】
【発明の効果】
以上説明したように、本発明のオーディオ装置によれば、追記書込メディアに記録された楽曲ファイルをセッション毎に管理し、かつ任意の楽曲について当該楽曲のファイルが記録されているセッションがわかるように表示部に表示するので、所望の楽曲を容易に見つけて再生することができる。また、追記書込メディアの各セッションを仮想ディスク化することにより、ＣＤチェンジャ−のように使用することができて、操作性がより一層向上する。
【図面の簡単な説明】
【図１】図１は本発明の実施の形態のオーディオ装置の構成を示すブロック図である。
【図２】図２は同じくそのオーディオ装置の前面パネルの一例を示す図である。
【図３】図３はＣＤ−Ｒに記録されたデータの構成を示す模式図である。
【図４】図４はＩＤ３タグが付加されたＭＰ３ファイルのデータ構成を示す模式図である。
【図５】図５は実施の形態のオーディオ装置におけるセッションの管理方法を示す概念図である。
【図６】図６はマルチセッションディスクのＴＯＣ情報取得方法を示すフローチャートである。
【符号の説明】
１０…制御部、
１１…ＣＤ−Ｒ読出部、
１２…表示部、
１３…操作部、
１４…デコード部、
１５…Ｄ／Ａ変換部。
【図１】
0003886729.tif 000002
【図２】
0003886729.tif 000003
【図３】
0003886729.tif 000004
【図４】
0003886729.tif 000005
【図５】
0003886729.tif 000006
【図６】
0003886729.tif 000007